(57)【要約】【課題】  配線・配管材を側面部に布設可能ないわゆる縦型の配線・配管材受具において、配線・配管材を脱落させることなく、かつ、円滑に引込む。【解決手段】  底面部１４と該底面部１４の一方側に立設された側面部１５とを有する受具１１と、前記受具１１の外面側から取付可能とする基台部材の切欠溝、及び前記受具１１の底面部１４側にケーブルＣの引込路１７を形成すべく該受具１１の底面部１４の他方側に設置されて該引込路１７に引込まれるケーブルＣの脱落を防止するローラ３９を有する引込具３１とを備えた。【選択図】  図３
2006296087.tif 000002
【特許請求の範囲】
【請求項１】
底面部と該底面部の一方側に立設された側面部とを有する配線・配管材受具と、
前記受具の外面側から取付可能とする取付部と、前記受具の底面部側に配線・配管材の引込路を形成すべく該受具の底面部の他方側に設置されて該引込路に引込まれる該配線・配管材の脱落を防止する脱落防止部とを有する引込具と
を備えたことを特徴とする配線・配管材引込装置。
【請求項２】
前記受具は、金属線材からなる複数の縦筋及び横筋が格子状に組込まれて構成されたことを特徴とする請求項１に記載の配線・配管材引込装置。
【請求項３】
前記受具の金属線材には、配線・配管材と摺接するローラ体が前記金属線材を軸に回転可能に取付けられたことを特徴とする請求項２に記載の配線・配管材引込装置。
【請求項４】
前記引込具の脱落防止部は、配線・配管材と摺接するローラを備えたことを特徴とする請求項１乃至請求項３のいずれかに記載の配線・配管材引込装置。
【請求項５】
前記引込具は、取付部が受具の側面部の外面に取付可能に形成されているとともに、脱落防止部を底面部の他方側に配置すべく前記取付部から前記受具の底面部の他方側に延設された連結部を備えた請求項１乃至請求項４のいずれかに記載の配線・配管材引込装置。
【請求項６】
前記引込具は、連結部と受具の底面部との間に空間を形成するよう該受具に取付けられた請求項５に記載の配線・配管材引込装置。
【請求項７】
前記引込具は、受具が底面部の他方側に湾曲する部分に取付けられたことを特徴とする請求項１乃至請求項６のいずれかに記載の配線・配管材引込装置。
【請求項８】
底面部の一方側に湾曲する部分を有する受具と、該底面部の他方側に湾曲する部分を有する受具とを備え、
前記一方側に湾曲する部分に、前記受具の側面部に配線・配管材が摺接するローラ体を備え、前記他方側に湾曲する部分に引込具を備えたことを特徴とする請求項１乃至請求項７のいずれかに記載の配線・配管材引込装置。
【請求項９】
底面部と該底面部の一方側に立接された側面部とを有する配線・配管材受具の外面側から取付可能とする取付部と、
前記受具の底面部側に配線・配管材の引込路を形成すべく該受具の底面部の他方側に設置されて該引込路に引込まれる該配線・配管材の脱落を防止する脱落防止部と
を備えたことを特徴とする引込具。
【請求項１０】
前記脱落防止部は、配線・配管材と摺接するローラを備えたことを特徴とする請求項９に記載の引込具。
【請求項１１】
前記受具は、金属線材からなる複数の縦筋及び横筋が格子状に組込まれて構成されたことを特徴とする請求項９または請求項１０に記載の引込具。
【請求項１２】
前記受具の横筋に取付可能とすべく形成されたことを特徴とする請求項１１に記載の引込具。
【発明の詳細な説明】
【技術分野】
【０００１】
本発明は、底面部と側面部とを有し、前記側面部にケーブルや給水管、給湯管等の配線・配管材を布設可能な配線・配管材受具に該配線・配管材を引込む配線・配管材引込装置及び引込具に関するものである。
【背景技術】
【０００２】
工場、建物等に配線・配管材を布設するため、各種の配線・配管材受具が使用されており、底面部と側面部とを有する配線・配管材受具においては、通常、配線・配管材を底面部上に載置して布設するものが使用されるが、布設スペース等の点から縦向きに設置して該配線・配管材を側面部に取付けるいわゆる縦型の受具が使用されることもある。この種の縦型の配線・配管材受具に関する技術としては、例えば、実開昭５３−５１９９８号公報に開示されている。
【０００３】
前記実開昭５３−５１９９８号公報に掲載の配線・配管材受具は、鉛直取付面に複数の穴が設けられており、バンド体またはバインド線を前記穴に通して複数のケーブルを結束し、前記鉛直取付面に取付けることができる。
【０００４】
【特許文献１】実開昭５３−５１９９８号公報
【発明の開示】
【発明が解決しようとする課題】
【０００５】
しかし、前記実開昭５３−５１９９８号公報に掲載の配線・配管材受具は、ケーブルを布設するとき、その都度ケーブルを把持しながら所定間隔毎に結束バンド等を鉛直取付面に設けた穴に通して結束しなければならず、煩雑で手間のかかる作業を強いられていた。特に、布設されるケーブルが長い場合には、多大な負担となっていた。
【０００６】
このため、一旦、ケーブルを配線・配管材受具の底面部上に引込んだ後、持上げて、側面部に長手方向に所定間隔で設けられているフック部材に載せ替えて布設することが考えられる。これによれば、その都度複数のケーブルを結束バンド等で結束する必要がないから、布設に要する手間を少なくすることができる。
【０００７】
しかし、このケーブルを載せ替えて布設する配線・配管材受具は、ケーブルを配線・配管材受具の底面部に引込む際、ケーブルが載せ替えられる側面部の反対側が側方に開口しているため、ケーブルの先端より後方の中間部が前記開口から脱落してしまい、特に、布設路が内側に曲がっている部分にケーブルを引込むときには容易に脱落してしまう。また、ケーブルは巻き癖等によって蛇行しているため、同様に、側方の開口から脱落することがある。このようにケーブルの中間部が受具の開口から脱落すると、その部分が湾曲した状態で垂下がり、その状態では抵抗が大きくて引込めないので、ケーブルの垂下がり部分を持上げて受具の底面部上に戻さなければならず、布設作業に大変な負担を強いることになる。なお、脱落を防止するために、配線・配管材受具の底面部の幅を大きくすることも考えられるが、狭いスペースを利用して立設状態で使用するいわゆる縦型の受具の利点が失われることとなる。
【０００８】
そこで、本発明は、配線・配管材を側面部に布設可能ないわゆる縦型の配線・配管材受具において、配線・配管材を脱落させることなく、かつ、円滑に引込むことができる配線・配管材引込装置及び引込具の提供を課題とするものである。
【課題を解決するための手段】
【０００９】
請求項１の配線・配管材引込装置は、底面部と該底面部の一方側に立設された側面部とを有する配線・配管材受具と、前記受具の外面側から取付可能とする取付部、及び前記受具の底面部側に配線・配管材の引込路を形成すべく該受具の底面部の他方側に設置されて該引込路に引込まれる該配線・配管材の脱落を防止する脱落防止部を有する引込具とを備えている。
【００１０】
前記受具は、底面部と側面部とを有し、立設姿勢に設置され、配線・配管材を側面部に布設可能ないわゆる縦型の受具であり、前記底面部の一方側には側面部が立設され、前記底面部の他方側は開口している。前記受具には、底面部と側面部とを有した断面略Ｌ字状のものの他、底面部と側面部に加えて前記側面部の上端部に前記底面部と対向する上面部が突設された断面略コ字状のものも含まれる。
【００１１】
配線・配管材は、一旦、受具の底面部に引込まれた後、持上げられて、側面部に長手方向に所定間隔で設けられたフックなどからなる載置部材に載置される。以下、同様の操作を繰返すことによって複数の配線・配管材を側面部に複数段に布設することができる。但し、１本の配線・配管材のみを布設する場合、或いは、最終の配線・配管材を布設する場合は、これらの配線・配管材は、一旦、受具の底面部に引込まれた後、持上げて側面部の載置部材に載置することなく、単に底面部上に載置した状態としておくこともできる。この場合も、布設路に沿って配線・配管材を布設したものとなる。
【００１２】
前記引込具は、前記受具にその外面側から取付けられる。ここで、外面側とは、受具において配線・配管材が布設される内部側以外を意味し、配線・配管材は、受具の側面部の裏面側から該側面部に取付けられ、或いは、受具の底面部の下方側から該底面部に取付けられたり、側面部と底面部とに跨って取付けられる。
【００１３】
また、前記引込具は、受具の底面部の他方側に脱落防止部が設けられており、引込時に、配線・配管材が受具の開口から脱落するのを防止している。前記脱落防止部は前記底面部の他方側に、例えば、遮蔽部材を立設することによって形成できる。
【００１４】
請求項２の配線・配管材引込装置は、請求項１に記載の受具が、金属線材からなる複数の縦筋及び横筋が格子状に組込まれて構成されたものである。金属線材からなる縦筋と横筋との交点は溶接される。金属線材は一般には丸棒が使用されるが、断面が矩形、小判形等の棒部材であってもよい。
【００１５】
請求項３の配線・配管材引込装置は、請求項２に記載の受具の金属線材に、配線・配管材と摺接するローラ体が前記金属線材を軸に回転可能に取付けられている。前記ローラ体は、受具の底面部の引込路における金属線材に取付けられたり、布設路の曲がり部分における受具の側面部の金属線材に取付けられる。前記ローラ体は、例えば、その軸に沿って２分割してなる２個の半割部材を金属線材に嵌めた後、前記２個の半割部材を組付けることによって組込後の金属線材に取付けることができる。
【００１６】
請求項４の配線・配管材引込装置は、引込具の脱落防止部が、配線・配管材と摺接するローラを備えている。
【００１７】
請求項５の配線・配管材引込装置は、引込具の取付部が受具の側面部の外面に取付可能に形成されているとともに、脱落防止部を底面部の他方側に配置すべく前記取付部から前記受具の底面部の他方側に延設された連結部を備えている。
【００１８】
請求項６の配線・配管材引込装置は、請求項５に記載の引込具が、連結部と受具の底面部との間に空間を形成するよう該受具に取付けられている。
【００１９】
請求項７の配線・配管材引込装置は、引込具が、受具が底面部の他方側に湾曲する部分に取付けられている。即ち、引込具は、布設路が内側に曲がって配線・配管材が脱落し易い部分に取付けられてこの脱落を防いでいる。
【００２０】
請求項８の配線・配管材引込装置は、底面部の一方側に湾曲する部分を有する受具と、該底面部の他方側に湾曲する部分を有する受具とを備え、前記一方側に湾曲する部分に、前記受具の側面部に配線・配管材が摺接するローラ体を備え、前記他方側に湾曲する部分に引込具を備えている。即ち、布設路が外側即ち底面部の一方側に曲がって引込時に配線・配管材が摺接し易い受具の側面部下方には、例えば、請求項３に記載したローラ体が取付けられ、布設路が内側即ち底面部の他方側に曲がって引込時に配線・配管材が脱落し易い部分には、請求項７に記載のように、引込具が取付けられている。
【００２１】
請求項９の引込具は、底面部と該底面部の一方側に立接された側面部とを有する配線・配管材受具の外面側から取付可能とする取付部と、前記受具の底面部側に配線・配管材の引込路を形成すべく該受具の底面部の他方側に設置されて該引込路に引込まれる該配線・配管材の脱落を防止する脱落防止部とを備えたものであり、請求項１の引込具に対応する。
【００２２】
請求項１０の引込具は、請求項９に記載の脱落防止部が、配線・配管材と摺接するローラを備えたものであり、請求項４の引込具に対応する。
【００２３】
請求項１１の引込具は、これが取付けられる受具が、金属線材からなる複数の縦筋及び横筋が格子状に組込まれて構成されたものであり、この受具は請求項２の受具に対応する。
【００２４】
請求項１２の引込具は、受具の横筋に取付可能とすべく形成されている。
【発明の効果】
【００２５】
請求項１の配線・配管材引込装置は、受具に取付けられた引込具に脱落防止部が設けられているので、底面部に配線・配管材を引込むとき、該配線・配管材の中間部分が受具の開口から脱落して湾曲状に垂下がるのを防止できる。その結果、脱落部分を持上げて底面部上に戻す手間が不要となり、円滑に配線・配管材を受具に引込むことができる。
【００２６】
特に、引込具を受具の内面側から取付けた場合、その引込具が受具の底面部に配線・配管材を引込むときの妨げとなり、円滑に引込めないことがあるところ、請求項１では、引込具は受具の外面側から取付けられるので、引込路には存在せず、何ら配線・配管材の引込みの妨げとはならないから、配線・配管材を円滑に引込むことができる。
【００２７】
また、配線・配管材を受具に布設後、受具の底面部上に配線・配管材が載置されている状態において、引込具が受具の内面側から取付けられている場合には、布設後の受具からの出張りを防ぐため、或いは、再利用などのために前記引込具を取外そうとしても、前記引込具は引込路上に載置されている配線・配管材の下側に設置されているから、前記配線・配管材を持上げて上方に移動させないと、前記引込具を取外すことはできない。しかし、請求項１の引込具は受具の外面側から取付けられており、前記配線・配管材の下側に設置されてはいないから、配線・配管材を持上げることなく、直ちに引込具を受具から取外すこともできる。更に、簡単に引込具を取外せることにより、この取外した引込具を他の受具の引込時に再利用するのが容易となる。
【００２８】
請求項２及び請求項１１の発明は、受具が、金属線材からなる複数の縦筋及び横筋が格子状に組込まれてなるから、受具全体の重量が軽減される。また、金属線材に引掛けて受具の外面側から取付けることができるので、引込具の取付部を簡易な構成とすることができる。
【００２９】
請求項３の配線・配管材引込装置は、受具の金属線材に、配線・配管材と摺接するローラ体が回転可能に取付けられているから、特に、受具の底面部の引込路における金属線材に取付けたり、布設路の曲がり部分における受具の側面部の金属線材に取付けることによって、配線・配管材の引込抵抗を軽減でき、楽に引込むことができる。
【００３０】
請求項４及び請求項１０の発明は、引込具の脱落防止部が配線・配管材と摺接するローラを備えているので、配線・配管材の引込抵抗を軽減でき、楽に引込むことができる。
【００３１】
請求項５の配線・配管材引込装置は、引込具の取付部が受具の側面部の外面に取付可能に形成されているとともに、脱落防止部を底面部の他方側に配置すべく前記取付部から前記受具の底面部の他方側に延設された連結部を備えているから、引込具を受具の外面側から取付けるものとなり、簡易な構成で請求項１と同様の効果を得ることができる。
【００３２】
請求項６の配線・配管材引込装置は、引込具の連結部と受具の底面部との間に空間が形成されているので、この空間を利用して、例えば、請求項３に記載のローラ体を金属線材に取付けたり、ロープを循環させることによって同時に２本の配線・配管材を布設できる循環ロープを配設することができる。
【００３３】
請求項７の配線・配管材引込装置は、引込具が、受具が底面部の他方側に湾曲する部分に取付けられているので、布設路が内側に曲がって脱落し易い部分から配線・配管材が脱落するのを防止できる。
【００３４】
請求項８の配線・配管材引込装置は、受具における底面部の一方側に湾曲する部分に、前記受具の側面部に配線・配管材が摺接するローラ体を備え、他方側に湾曲する部分に引込具を備えている。したがって、前記一方側に湾曲する部分に取付けられたローラ体によって配線・配管材との摺接抵抗を軽減できるとともに、前記他方側に湾曲する部分に取付けられた引込具によって配線・配管材が受具の開口から脱落するのを防止でき、全体として配線・配管材を楽にかつ円滑に引込むことができる。
【００３５】
請求項９の引込具は、配線・配管材受具の外面側から取付可能とする取付部と、引込路に引込まれる該配線・配管材の脱落を防止する脱落防止部とを備えたものであり、請求項１と同様の効果を奏する。
【００３６】
請求項１２の引込具は、受具の横筋に取付けることができるから、布設方向の任意の位置に引込具を取付けることができる。また、簡易な構成で受具に取付けることができる。
【発明を実施するための最良の形態】
【００３７】
以下、本発明の実施形態を図１乃至図５に基づいて説明する。ここで、図１は本発明の実施形態の配線・配管材引込装置を示す斜視図、図２は図１の引込具を示す図である。
【００３８】
図１及び図２において、配線・配管材引込装置１は、配線・配管材としてのケーブルＣを載置して布設路に沿って布設する受具１１と、前記受具１１に外面側から取付けられ、前記ケーブルＣが前記受具１１から脱落するのを防止して該ケーブルＣを該受具１１の引込路１７に引込むために使用される引込具３１とで構成されている。前記引込路１７は受具１１の底面部１４に形成されており、引込時にケーブルＣは布設路が内側に曲がっている部分で脱落し易いので、前記引込具３１は、特に、受具１１の曲がり部１８に取付けられる。なお、ケーブルＣは巻き癖等によって蛇行しているので、引込路１７の直線部分においても脱落することがあるため、前記引込具３１はこの直線部分にも適宜取付けられる。ここで、ケーブルＣは、その先端部を保持して布設方向に引張って受具１１の引込路１７に布設するのであるから、先端部ではなく、それより後方の中間部が受具１１の引込路１７から脱落して湾曲状に垂れ下がることとなる。したがって、引込具３１はケーブルＣの前記中間部を支持してその脱落を防止することとなる。
【００３９】
まず、前記受具１１は、断面円形の金属線材からなる縦筋１２と横筋１３とを溶接等によって格子状に組付けて構成されている。前記縦筋１２は略コ字状に折曲形成され、布設方向に適宜間隔をおいて配置され、上下方向に複数段に配置した横筋１３によって連結されている。このように縦筋１２と横筋１３とを組付けてなる受け具１１は、全体として、底面部１４と、この底面部１４の一方側に立設された側面部１５と、前記側面部１５の上端部に水平方向に突出して前記底面部１４と対向する上面部１６とを備え、前記底面部１４の他方側における前記側面部１５と対向する部分は開口している。前記底面部１４の上面はケーブルＣが引込まれて載置される引込路１７となっている。この受具１１は前記側面部１５にケーブルＣを布設することが可能ないわゆる縦型の受具である。また、図１において、受具１１は布設路の曲がり部分に設置されたものを示し、曲がり部１８において底面部１４の他方側即ち開口側に湾曲している。
【００４０】
ここで、前記金属線材は断面円形となっているから、布設時及び布設後に、接触によるケーブルＣの傷付きを防止できる。但し、前記金属線材は断面円形のものに限られるものではなく、断面が矩形、六角形、楕円形、小判形など各種のものを用いることができる。断面が矩形、小判形などとした場合には、縦筋１２と横筋１３との接触面積が増し、溶接強度が大きくなる。
【００４１】
前記受け具１１の底面部１４における所定の縦筋１２には上面にケーブルＣが載置されるローラ体１９が前記縦筋１２の金属線材を軸に回転可能に取付けられており、引込時に、ケーブルＣと摺接して引込抵抗を軽減している。前記ローラ体１９はどのような形態のものであってもよいが、例えば、図９に示すローラ体のような、軸方向に２分割した半円柱状の半割体１９ａ、半割体１９ｂを金属線材に嵌合して組付けるものとすることができる。この構成のローラ体１９であれば、受具１１を形成した後においても後付けとして取付けることができる。このローラ体１９を取付けることによってケーブルＣを引込むのに要する力は小さくなり、楽に引込むことができる。但し、受具１１の底面部１４には前記ローラ体１９を取付けないものとしてもよく、この場合は、前記底面部１４は平坦となり、ケーブルＣを引込み易くなるという効果が得られるので、ローラ体１９を取付けるか否かは、実際の布設状況に応じて適宜選択すればよい。
【００４２】
更に、前記受け具１１の側面部１５にはフック状に形成されてケーブルＣを載置する複数のフック部材２０が前記側面部１５の適宜位置に取付けられている。前記フック部材２０は上部の鍵状の掛止部２０ａを隣接する上部側の横筋１３に引掛けた後、下方に回動し、下部の弾性突部からなる係止部２０ｂを弾性的に隣接する下部側の横筋１３に係止することによって受具１１の開口側から両横筋１３間に架設して取付けることができるようになっている。ここで、前記横筋１３は断面円形の金属線材からなるので、前記上部の掛止部２０ａを横筋１３に掛止した状態で円滑に下方に回動して前記下部の係止部２０ｂを隣接する横筋１３に係止させることができる。ケーブルＣは受具１１の開口側に突出する略Ｌ字状の載置部２０ｃに載置される。但し、前記フック部材２０は縦筋１２に取付けるようにしてもよい。なお、図１においては、前記フック部材２０は側面部１５において上下２段に配設されており、ケーブルＣは側面部１５において上下２段に布設できる。
【００４３】
前記受具１１は天井から吊下げられた複数の吊ボルト６１に吊具６２を介して吊設されている。前記吊具６２は断面が略コ字状の鋼材を折曲して略Ｌ字状に形成され、垂直側の両側面部に略Ｔ字状の切欠溝６２ａが複数設けられており、この切欠溝６２ａの開口から前記受具１１の横筋１３を挿入し、前記切欠溝６２ａの下部に掛止させることによって前記受具１１を保持している。
【００４４】
次に、前記引込具３１は、前記受具１１の引込路１７に近接して取付けられており、図１及び図２に示すように、断面が略コ字状の鋼材を折曲して略Ｌ字状に形成された基台部材３２にローラ取付部材３６を介してローラ３９が取付けられた構成となっている。前記略Ｌ字状の基台部材３２の垂直部３３の両側面部には、前記引込路１７側に一部が開口する略Ｔ字状の切欠溝３３ａが垂直方向に所定間隔をおいて複数、図では３個設けられている。ここで、前記切欠溝３３ａは複数設けられているので、引込具３１の荷重は３本の横筋１３に分散して加わることになり、前記引込具３１を支持する横筋１３が前記引込具３１の荷重によって変形するのを防止できる。但し、引込具３１が軽量であることによって横筋１３に作用する力が小さかったり、横筋１３の強度が大きい場合には、切欠溝３３ａの形成数を減らすこともできる。
【００４５】
前記基台部材３２の垂直部３３の下端部からは受具１１の引込路１７側に水平部３４が延設されており、前記引込具３１の水平部３４と前記受具１１の底面部１４との間には所定間隔の空間３５が形成されている。なお、前記引込具３１の垂直部３３の切欠溝３３ａは、請求項の受具の外面側から取付可能とする取付部に相当する。また、前記引込具３１の水平部３４は、前記ローラ３９を受具１１の底面部１４の他方側に配置すべく垂直部３３から前記底面部１４の他方側即ち受具１１の内面側に延設された、請求項の連結部に相当する。
【００４６】
前記水平部３４の突出先端側には断面略コ字状の鋼材からなるローラ取付部材３６が立設されており、前記ローラ取付部材３６の上端部及び中間部にはそれぞれ引込路１７側に向けて水平に突出するフランジ３７及びフランジ３８が一体に設けられている。そして、前記ローラ取付部材３６のフランジ３７及びフランジ３８間には垂直方向を軸として回転するローラ３９が枢着されている。このローラ３９はその側面が受具１１の引込路１７に引込まれるケーブルＣと摺接する高さ及び水平位置に取付けられている。前記基台部材３２の垂直部３３の底面部には止めねじ部材４０が螺着されている。なお、前記引込具３１の基台部材３２及びローラ取付部材３６は合成樹脂等によって形成してもよい。
【００４７】
上記引込具３１は前記基台部材３２の垂直部３３を受具１１の外面側即ち該受具１１の開口の反対側から該受具１１の側面部１５に向けて移動させ、前記切欠溝３３ａをその開口から前記受具１１の横筋１３に掛止させた後、止めねじ部材４０を回動してそのねじ部４０ａを横筋１３の下部に螺進させる。これにより、前記引込具３１は前記基台部材３２の切欠溝３３ａの上部が前記横筋１３に支持され、前記受具１１の外面側から側面部１５に取付けられることとなる。
【００４８】
なお、受具１１の横筋１３は縦筋１２の外面側即ち受具１１の開口と反対の後方側に後退させて該縦筋１２に溶接し、組付けるのが望ましい。更に、引込具３１の切欠溝３３ａの開口における突出部つまりは引込具３１の基台部材３２の両側面部先端は、引込具３１を受具１１に取付けた状態で、縦筋１２より前方即ち受具１１の内面側に突出しないように形成するのが望ましい。これらは、前記引込具３１の基台部材３２がケーブルＣと接触して傷付けるのを防止するためである。
【００４９】
次に、上記のように構成された本実施形態の配線・配管材引込装置によって複数のケーブルＣを布設する方法を図３乃至図５に基づいて説明する。
【００５０】
まず、図３に示すように、１本目のケーブルＣの先端部に図示しない布設ロープを連結し、該受具１１の一端側から他端側に向けて引張って受具１１の底面部１４上の引込路１７に引込む。このとき、受具１１の底面部１４の他方側即ち開口側に湾曲する曲がり部１８においては、ケーブルＣの先端部より後方の中間部が該受具１１の曲がり部１８の内側に寄せられて前記受具１１の開口から脱落するおそれがあるが、本実施形態においては、引込具３１が取付けられているため、ケーブルＣの側面部が前記引込具３１のローラ３９と当接し、脱落するのが防止される。
【００５１】
ここで、前記引込具３１のローラ３９は上下方向を軸として回転可能に取付けられているので、ケーブルＣとの摺接抵抗が軽減され、引込力を小さくできるから、楽に引込むことができる。但し、前記ローラ３９は必ずしも取付けを要するものではなく、円滑かつ楽にケーブルＣを引込むことができれば、単なる板材、棒部材等を立設したものとすることもできる。なお、前記引込具３１のローラ３９は受具１１の開口の下部を遮蔽し、ケーブルＣの脱落を防止するものであるから、請求項の脱落防止部に相当する。
【００５２】
次に、１本目のケーブルＣを引込路１７の全長に至って引込んだら、布設路１７のいずれか一側から他側に向かって順次、図４に示すように、下方から前記ケーブルＣをそのまま上方に持上げて受具１１の側面部１５に配設された上段のフック部材２０上に載置する。ここで、上段のフック部材２０へのケーブルＣの移設は手或いは持上具を使用して持上げて簡単に行なうことができる。
【００５３】
次に、１本目のケーブルＣを移設して空となった引込路１７に、図５に示すように、２本目のケーブルＣを１本目のケーブルＣと同様の要領で引込む。このときも、２本目のケーブルＣは引込具３１の脱落防止具であるローラ３９によって受具１１の開口から脱落するのが防止される。２本目のケーブルＣについて引込路１７への引込みを完了したら、同様の要領で、２本目のケーブルＣを受具１１の下段のフック部材２０上に移設する。ここで、図３乃至図５においては、フック部材２０は上下２段に設けているが、３段以上に設けておけば、３本目以降のケーブルＣも同様の要領で布設することができる。なお、最終のケーブルＣは受具１１の側面部１５に移設してもよいが、引込路１７に引込んだままの状態で布設したものとすることもできる。
【００５４】
以上のようにして、複数のケーブルＣは受具１１の側面部１５に上下方向に複数段に布設される。なお、底面部１４の縦筋１２の金属線材には引込力軽減のためのローラ体１９が取付けられているが、上述のように、引込路１７が平坦である方が引込み易ければ、ローラ体１９の取付けを省くことができる。
【００５５】
次に、前記配線・配管材引込装置１及び引込具３１の作用について説明する。
【００５６】
配線・配管材引込装置１は、引込具３１に脱落防止部としてのローラ３９が設けられているので、底面部１４上の引込路１７にケーブルＣを引込むとき、前記ケーブルＣが受具１１の開口から脱落するのを阻止し、ケーブルＣの先端より後方の中間部が湾曲状に垂下がるのが回避される。その結果、ケーブルＣの脱落部分を持上げて底面部１４上に戻す手間が不要となるとともに、ケーブルＣは円滑に受具１１の引込路１７に引込まれる。
【００５７】
また、仮に、引込具が受具１１の内面側から該受具１１の底面部１４に取付けられた場合には、その引込具は底面部１４上に突出して引込路１７にケーブルＣを引込むときの妨げとなり、円滑に引込めないことがあるが、本実施形態では、引込具３１は受具１１の外面側から該受具１１の外面２１に取付けられるから、引込路１７は引込具３１によって引込みを妨げられることがない。その結果、ケーブルＣは円滑に引込まれる。
【００５８】
更に、ケーブルＣを受具１１に布設した後において、受具１１の底面部１４上の引込路１７に最終のケーブルＣが載置されている場合に、仮に、引込具３１が受具１１の内面側から取付けられていると、布設後における受具１１からの引込具３１の出張りを防ぐため、或いは、再利用などのため、前記引込具３１を受具１１から取外そうとしても、引込路１７上に載置されているケーブルＣの下側に設置されているから、一旦、前記ケーブルＣを持上げて上方に移動させないと、取外せない。しかし、本実施形態の引込具３１は受具１１の外面側から取付けられており、引込路１７においてケーブルＣの下側には設置されていないから、前記ケーブルＣを持上げることなく、直ちに引込具３１を受具１１から取外すことができる。そして、簡単に引込具３１を取外せることから、この取外した引込具３１を他の受具の引込時に再利用することが容易となる。
【００５９】
加えて、前記引込具３１は受具１１の外面側から取付けられるものであって、ローラ３９がケーブルＣの側部と摺接するだけであり、下方から重量のあるケーブルＣを支持するものではないから、格別強度、剛性を大きくする必要がなく、小型で軽量、安価なものとすることも可能である。
【００６０】
ところで、上記実施形態において、受具１１の底面部１４と引込具３１の水平部３４との間には所定間隔の空間３５が形成されている。このため、この空間３５を利用して、引込具３１と近接する縦筋１２にもローラ体１９を取付けることが可能となる。また、この空間３５内に、往復循環させることによって一度に２本のケーブルＣの布設を可能とする循環ロープを設置することも可能となる。但し、この空間３５は必ずしも設けなくてもよく、設けない場合は、引込具３１の下方への突出量を小さくすることができる。
【００６１】
次に、図６に、本発明の別の引込具を示す。図１乃至図５の引込具３１は受具１１の側面部１５に外面側から取付けたものを示すが、図６の引込具４１は受具１１の底面部１４に外面側から取付けたものを示す。
【００６２】
図６において、引込具４１は、断面が略コ字状に形成された基台部材４２に断面が略コ字状に形成されたローラ取付部材４３が立設され、更に、このローラ取付部材４３にローラ４４が取付けられている。前記基台部材４２の両側面部には、上方の引込路１７側に一部が開口する略Ｔ字状の切欠溝４２ａが水平方向に所定間隔をおいて２個設けられている。前記ローラ取付部材４３の上端部及び中間部にはそれぞれ引込路１７側に向けて水平に突出するフランジ４５及びフランジ４６が一体に設けられており、前記ローラ４４は前記ローラ取付部材４３のフランジ４５及びフランジ４６間に垂直方向を軸として回転可能に枢着されている。
【００６３】
前記引込具４１は基台部材４２を受具１１の外面側即ち該受具１１の底面部１４の下側から該受具１１の底面部１４に向けて移動させ、前記切欠溝４２ａをその開口から前記受具１１の横筋１３に掛止させた後、止めねじ部材４７を回動してそのねじ部４７ａを横筋１３の側部に螺進させる。これにより、前記引込具４１は前記基台部材４２の切欠溝４２ａの開口における上縁部が前記横筋１３に支持され、前記受具１１の外面側から底面部１４に取付けられることとなる。なお、この引込具４１における基台部材４２の切欠溝４２ａは請求項の取付部に相当する。
【００６４】
この引込具４１においても、前記引込具３１と同様に、脱落防止部としてのローラ４４がケーブルＣの脱落を防止し、円滑に前記ケーブルＣを引込路１７に引込むことができる。
【００６５】
次に、図７に、本発明の更に別の引込具を示す。図７の引込具５１は受具１１の外面側から底面部１４と側面部１５とに跨って取付けたものを示す。
【００６６】
図７において、引込具５１は、板材を受具１１の底面部１４の両端側の周辺において直角上向きに折曲した基台部材５２を前記底面部１４の下側に配置している。前記基台部材５２において側面部１５側で折曲した一側立設部５３の先端部には上下２箇所で側面部１５側に折曲した上部係止部５４及び下部係止部５５が設けられており、この上部係止部５４と下部係止部５５との間に受具１１の側面部１５の最下段の横筋１３が介入するようになっている。他方、前記基台部材５２において受具１１の開口側で折曲した他側立設部５６の上部には脱落防止部５７が形成されており、前記脱落防止部５７の側部には引込時にケーブルＣが引掛かるのを防止するフランジ５８が斜め側方に突設されている。また、前記基台部材５２には受具１１の底面部１４の先端における横筋１３と係止する略Ｌ字状に折曲した係止部５８が一体に形成されている。
【００６７】
前記引込具５１は基台部材５２を受具１１の外面側から側面部１５に向けて移動させ、一側立設部５３の上部係止部５４及び下部係止部５５を受具１１の側面部１５の最下段の横筋１３に係止させるとともに、基台部材５２の水平部の係止部５８を受具１１の底面部１４の先端における横筋１３に係止させた後、止めねじ部材５０を回動してそのねじ部５０ａを前記横筋１３の側部に螺進させる。これにより、前記引込具５１は受具１１の側面部１５の最下段の横筋１３及び受け具１１の底面部１４の先端における横筋１３に支持され、前記受具１１の外面側から底面部１４及び側面部１５に取付けられることとなる。
【００６８】
この引込具５１においても、前記引込具３１及び引込具４１と同様に、脱落防止部５７がケーブルＣの脱落を防止し、円滑に前記ケーブルＣを引込路１７に引込むことができる。
【００６９】
このように、前記引込具には、引込具３１のように、受具１１の側面部１５に取付けられるものの他、引込具４１のように、受具１１の底面部１４に取付けられるもの、引込具５１のように、受具１１の底面部１４と側面部１５とに跨って取付けられるものがあり、請求項の受具の外面側には、側面部１５の外面側に限らず、底面部１４の外面側も含まれる。要するに、受具１１の外面側とは、受具１１の内面側以外を意味する。
【００７０】
次に、本発明の他の実施形態の配線・配管材引込装置を図８及び図９に示す。
【００７１】
図８及び図９において、配線・配管材引込装置１は直線状の受具１１ａと、底面部１４の他方側に湾曲する部分である曲がり部１８を有する受具１１ｂと、一方側に湾曲する部分である曲がり部２１を有する受具１１ｃとを備えている。前記受具１１ｂの曲がり部１８には引込具３１が外面側から取付けられている。そして、前記受け具１１ｃの曲がり部２１には側面部１５の下部における縦筋１２にローラ体６０が取付けられている。なお、前記引込具３１は引込具４１或いは引込具５１であってもよいことは当然である。
【００７２】
前記ローラ体６０は軸方向に２分割してなる２個の半円柱状の半割体６０ａ及び半割体６０ｂで構成されており、半割体６０ａ及び半割体６０ｂにはそれぞれ前記縦筋１２の金属線材に嵌合する嵌合凹部６０ｃ及び嵌合凹部６０ｄが形成されている。このローラ体６０は前記縦筋１２の金属線材に半割体６０ａの嵌合凹部６０ｃ及び半割体６０ｂの嵌合凹部６０ｄを嵌合した後、前記半割体６０ａと半割体６０ｂとを対向した状態で組付けることにより、直交する方向から前記縦筋１２の金属線材に取付けることができる。
【００７３】
このように構成された配線・配管材引込装置１は、受具１１ｂの曲がり部１８に引込具３１が取付けられているので、引込時に、ケーブルＣが脱落するのを防止して円滑に引込路１７に引込むことができるのに加え、受具１１ｃの曲がり部２１には側面部１５の下部における縦筋１２にローラ体６０が取付けられているので、受具１１ｄとケーブルＣとの摺接抵抗の大きい曲がり部２１において該抵抗を軽減することができ、引込力を小さくすることができる。したがって、全体として、ケーブルＣを円滑かつ楽に引込路１７に引込むことができる。
【００７４】
ところで、上記各実施形態では、引込具３１等は受具１１の曲がり部１８に取付けられているが、ケーブルＣは巻き癖等によって蛇行しており、布設路の直線部分においても受具１１の開口から脱落するおそれがあるので、前述のように、受具１１の直線部分にも適宜間隔で取付けるのが望ましい。
【００７５】
また、フック部材２０は受具１１の側面部１５に載置部２０ｃが該受具１１の内部側に突出して取付けたものを示しているが、反対側である受具１１の外部側に突出して取付けたものとしてもよい。この場合には、一旦、ケーブルＣを引込路１７に引込んだ後、引込具３１等の上方を迂回し、底面部１４の下方から受具１１の外面側に移動させて前記受具１１の外部側に取付けたフック部材２０上に載置することができる。或いは、フック部材２０は内部側及び外部側の両方に取付けたものとすることもでき、この場合は、側面部１５の両側にケーブルＣを布設することができる。
【００７６】
更に、引込具３１等は受具１１の底面部１４上に引込路１７を形成し、ケーブルＣの脱落を防止できれば、上記各実施形態の引込具に限られるものではない。
【００７７】
そして、前記受具１１は金属線材からなる複数の縦筋１２及び横筋１３が格子状に組込まれて構成されているが、これに限られるものではなく、板材等で底面部１４及び側面部１５等を形成することもでき、引込具３１等を取付けることによって同様の効果を得ることができる。
【００７８】
なお、前記受具１１は、天井から吊下げたものを示しているが、建物の壁材等に掛止して設置することもできる。
【図面の簡単な説明】
【００７９】
【図１】本発明の実施形態の配線・配管材引込装置を示す斜視図である。
【図２】図１の引込具を示し、(a)は平面図、(b)は左側面図、(c)は正面図、(d)は右側面図である。
【図３】図１の受具の引込路に１本目のケーブルを引込む状態を示す斜視図である。
【図４】図３の１本目のケーブルを受具の側面部に移設した状態を示す斜視図である。
【図５】図４の受具の引込路に２本目のケーブルを引込む状態を示す斜視図である。
【図６】本発明の実施形態の別の引込具を示す正面図である。
【図７】本発明の実施形態の更に別の引込具を示す正面図である。
【図８】本発明の実施形態の他の配線・配管材引込装置を示す平面図である。
【図９】図８の配線・配管材引込装置の要部正面図である。
【符号の説明】
【００８０】
１  配線・配管材引込装置
１１  受具
１２  縦筋
１３  横筋
１４  底面部
１５  側面部
１７  引込路
１８、２１  曲がり部
３１、４１、５１  引込具
３５  空間
３９、４４  ローラ
５７  脱落防止部
６０  ローラ体
Ｃ    ケーブル
【図１】
2006296087.tif 000003
【図２】
2006296087.tif 000004
【図３】
2006296087.tif 000005
【図４】
2006296087.tif 000006
【図５】
2006296087.tif 000007
【図６】
2006296087.tif 000008
【図７】
2006296087.tif 000009
【図８】
2006296087.tif 000010
【図９】
2006296087.tif 000011